(57)【要約】【課題】  本発明は、カートリッジ替刃の構造は年々複雑になってコストが上がる傾向にあることに鑑み、カートリッジ替刃とハンドルとの結合構造を少しでも簡単にしてコストを下げることを課題とする。さらに本発明は、力の弱い女性であっても負担をかけることなくボタンを操作してハンドルに結合されているカートリッジ替刃を外せる安全カミソリを提供することを目的とする。【解決手段】  底部に差込部を有するカートリッジ替刃を取り付けるための安全カミソリハンドルであって、該ハンドルは、前記差込部を差込むための開口部を上端に有し、開口部に差込まれた差込部を抜け出し不能に係止する手段が、開口部内に現に差込まれている差込部と開口部の間に介在し、且つこの係止を解除する操作部がハンドルに設けられている。【選択図】  図１
2006204669.tif 000002
【特許請求の範囲】
【請求項１】
底部に差込部を有するカートリッジ替刃を取り付けるための安全カミソリハンドルであって、該ハンドルは、前記差込部を差込むための開口部を上端に有し、開口部に差込まれた差込部が抜け出さないように係止する手段が、開口部内に現に差込まれている差込部の部分と開口部の間に介在し、且つこの係止を解除する操作部がハンドルに設けられていることを特徴とするハンドル。
【請求項２】
操作部を移動して前記係止を解除するときに、前記操作部を移動させる力は、差込部が開口部から抜け出る推進力として作用しない請求項１記載のハンドル。
【請求項３】
操作部を移動して前記係止を解除し差込部を開口部から外すときに、差込部が抜け出る方向が縦方向であるのに対して操作部の移動方向は横方向である請求項１又は請求項２記載のハンドル。
【請求項４】
開口部の内壁から突出し開口部の内壁内に没入可能な係止装置が開口部内方向に弾性的に付勢されて装着されており、前記差込部を開口部に差込んだときに、差込部の側方に突出している係止突部が前記係止装置を開口部の内壁内に押し込みながら係止装置を越えて進み、その進んだときに係止突部の押圧から解除された係止装置が元の位置に弾性的に復帰し開口部内壁から突出して前記係止突部を係止し、前記係止装置の他方の端部はハンドルから突出する操作部を構成しており、該操作部を押すことにより係止が解除される請求項３記載のハンドル。
【請求項５】
ハンドルはハンドル本体と回動体を含み、ハンドル本体の上端に回動体が回動可能に取り付けられ、該回動体に開口部が設けられ、該開口部に差込部が差込まれることによりカートリッジ替刃がハンドルに結合され、結合されたカートリッジ替刃の長さ方向と同じ方向に延びる回動軸線を中心に前記回動体は回動可能であり、且つ回動体の回動を所定の位置で固定できる手段を有している請求項１乃至請求項４記載のハンドル。
【請求項６】
カートリッジ替刃のハンドルに対する結合態様が正しく行われないときは、差込部が開口部に差込むことができないように差込部と開口部の形状が形成されている請求項１乃至請求項５記載のハンドル。
【請求項７】
差込部の差込み方向に延びる開口部のその延長線は回動体の回動中心から偏倚している請求項５又は請求項６記載のハンドル。
【請求項８】
回動体の回動を所定の位置で固定する手段は、ハンドル本体に摺動可能に取り付けられた係止装置であって指で操作するためのボタンを有し、該係止装置に設けられた係止部によって回動体の回動を係止して固定する請求項５乃至請求項７記載のハンドル。
【請求項９】
回動体は円筒形に形成され、その周面の周方向に少なくとも１つの係止凹部が形成され、係止装置に設けられている係止部がハンドル本体の上部から上方に突出して前記係止凹部に係合し回動体の回動を係止して固定する請求項８記載のハンドル。
【請求項１０】
係止装置の係止作用が解除された回動体の自由な回動を、回動体の係止凹部を使用することなく一定の範囲に制限するための手段が、係止装置を含めたハンドル本体と回動体との間に介在している請求項９記載のハンドル。
【発明の詳細な説明】
【技術分野】
【０００１】
本発明は、ヒゲや手足の毛を剃るときに使用する安全カミソリであって替刃式の安全カミソリのハンドルに関する。
【背景技術】
【０００２】
替刃式安全カミソリであって、直線的な差込み構造によってカートリッジ替刃をハンドルに結合する安全カミソリは存在する（例えば、特許文献１参照。）。
【特許文献１】特開２００４−３１３８０１号公報
【特許文献２】実公昭６３−１９７７号公報（第３頁、第１図）
【発明の開示】
【発明が解決しようとする課題】
【０００３】
本発明は、カートリッジ替刃の構造は年々複雑になってコストが上がる傾向にあることに鑑み、結合構造を少しでも簡単にしてコストを下げることを課題とする。直線的な差込み構造によってカートリッジ替刃をハンドルに結合する替刃式安全カミソリでは、カートリッジ替刃とハンドルの結合構造はできるだけ簡単な構造であることが望ましい。構造が複雑になればコストが上昇してしまうからである。特に、カートリッジ替刃側の結合構造が簡単であることが望ましい。なぜならば、カートリッジ替刃は切れ味が落ちたら廃棄して新品と交換するものだから、ハンドルに対してカートリッジ替刃の販売数は圧倒的に多数である。したがって、ハンドルよりもカートリッジ替刃のコストを下げたほうが需要者にとって望ましい。結合構造を簡単にしてコストを少しでも下げれば需要者にとってカートリッジ替刃の交換を早めることができる。カートリッジ替刃の交換を早めれば、需要者は常に切れ味のよいカートリッジ替刃を使用することができる。
【０００４】
特許文献１の替刃式安全カミソリは、ハンドルに差込部が設けられ、カートリッジ替刃側に開口部が設けられている構成である。差込部に種々の構成が考えられるが、一枚の板状の差込片に簡単な係止突部あるいは係止穴を設ければそれで足りる。したがって、差込部は構造を簡単にしてコストを下げる構成とすることができる。これに対して、開口部は差込部を差込むためのものであるから、開口部を設けることができるだけの外形を有する部分が必要である。また、開口部の中にカートリッジ替刃との結合部を形成しなければならない。しかも、結合を外す手段についても簡単な構造では済まない。したがって、同じ結合構造であっても、差込部よりも開口部の方がコストが高くなりやすい。
【０００５】
特許文献１の替刃式安全カミソリは、カートリッジ替刃側に開口部を設けてあるために、カートリッジ替刃のコストが高くなるのである。そこで、本発明は、ハンドル側に開口部を設けカートリッジ替刃側に簡単な構造の差込部を設けることによって、カートリッジ替刃のコストを下げることを目的とする。特許文献２は、カートリッジ替刃に嵌合凸部を設けてあるが、カートリッジ替刃の係止装置はハンドルの開口部内で係止状態となるのではなく、開口部の外部で係止する。したがって、見た目が悪く、使用中に係止部分にクリームやヒゲかすなどが詰まるので不潔になりやすい。
【０００６】
さらに、特許文献１ではハンドルに結合されているカートリッジ替刃を外すときに、ハンドルに設けられたボタンをカートリッジ替刃を外す方向に押して、カートリッジ替刃に直接的に力を加えて押し出す構成である。つまり、結合部分を強制的に押し広げてカートリッジ替刃を押出して結合を外す押出しの構成である。したがって押出しにかなりの力が必要である。使用者が男性であるときはそれで支障はないが、女性にとってはかなりの負担である。これは、カートリッジ替刃を押出す方向に力を加える構成だからである。そこで、本発明は、力の弱い女性であっても負担をかけることなくハンドルに結合されているカートリッジ替刃を外せる安全カミソリを提供することを目的とする。
【課題を解決するための手段】
【０００７】
本発明の請求項１の構成は、底部に差込部を有するカートリッジ替刃を取り付けるための安全カミソリハンドルであって、ハンドルは、差込部を差込むための開口部を上端に有し、開口部に差込まれた差込部が抜け出さないように係止する手段が、開口部内に現に差込まれている差込部の部分と開口部の間に介在し、且つこの係止を解除する操作部がハンドルに設けられている構成である。
【０００８】
請求項２は、操作部を移動して前記係止を解除するときに、前記操作部を移動させる力は、差込部が開口部から抜け出る推進力として作用しない要素が請求項１に付加された構成である。
【０００９】
請求項３は、操作部を移動して前記係止を解除し差込部を開口部から外すときに、差込部が抜け出る方向が縦方向であるのに対して操作部の移動方向は横方向である要素が請求項１又は請求項２に付加された構成である。
【００１０】
請求項４は、開口部の内壁から突出し開口部の内壁内に没入可能な係止装置が開口部内方向に弾性的に付勢されて装着されており、前記差込部を開口部に差込んだときに、差込部の側方に突出している係止突部が前記係止装置を開口部の内壁内に押し込みながら係止装置を越えて進み、その進んだときに係止突部の押圧から解除された係止装置が元の位置に弾性的に復帰し開口部内壁から突出して前記係止突部を係止し、前記係止装置の他方の端部はハンドルから突出する操作部を構成しており、該操作部を押すことにより係止が解除される要素が請求項３に付加された構成である。
【００１１】
請求項５は、ハンドルがハンドル本体と回動体を含み、ハンドル本体の上端に回動体が回動可能に取り付けられ、該回動体に開口部が設けられ、該開口部に差込部が差込まれることによりカートリッジ替刃がハンドルに結合され、結合されたカートリッジ替刃の長さ方向と同じ方向に延びる回動軸線を中心に前記回動体は回動可能であり、且つ回動体の回動を所定の位置で固定できる手段を有している要素が請求項１乃至請求項４に付加された構成である。
【００１２】
請求項６は、カートリッジ替刃のハンドルに対する結合態様が正しく行われないときは、差込部が開口部に差込むことができないように差込部と開口部の形状が形成されている要素が請求項１乃至請求項５に付加された構成である。
【００１３】
請求項７は、差込部の差込み方向に延びる開口部のその延長線が回動体の回動中心から偏倚している要素が請求項５又は請求項６に付加された構成である。
【００１４】
請求項８は、回動体の回動を所定の位置で固定する手段が、ハンドル本体に摺動可能に取り付けられた係止装置であって指で操作するためのボタンを有し、該係止装置に設けられた係止部によって回動体の回動を係止して固定する要素が請求項５乃至請求項７に付加された構成である。
【００１５】
請求項９は、回動体が円筒形に形成され、その周面の周方向に少なくとも１つの係止凹部が形成され、係止装置に設けられている係止部がハンドル本体の上部から上方に突出して前記係止凹部に係合し回動体の回動を係止して固定する要素が請求項８に付加された構成である。
【００１６】
請求項１０は、係止装置の係止作用が解除された回動体の自由な回動を、回動体の係止凹部を使用することなく一定の範囲に制限するための手段が、係止装置を含めたハンドル本体と回動体との間に介在している要素が請求項９に付加された構成である
【発明の効果】
【００１７】
請求項１は、ハンドルが、カートリッジ替刃の差込部を差込むための開口部をその上端に有し、開口部に差込まれた差込部が抜け出さないように係止する手段が、開口部内に現に差込まれている差込部の部分と開口部の間に介在し、且つこの係止を解除する操作部がハンドルに設けられている。したがって、差込部がカートリッジ替刃に設けられており、差込部は同じ結合構造としての開口部ほど製造コストがかからないので、カートリッジ替刃に開口部を設けるときよりもコストを下げることができる。また係止手段が、開口部内に現に差込まれている差込部の部分と開口部の間に介在している。現に差込まれている差込部の部分とは、開口部の中に埋まっている部分を指し、開口部からはみ出ている部分ではない。したがって、係止構造が外部から目視できないので体裁のよい安全カミソリとすることができる。
【００１８】
請求項２は、操作部を移動して前記係止を解除するときに、前記操作部を移動させる力は、差込部が開口部から抜け出る推進力として作用しない構成である。したがって、係止を解除するために操作部のみを移動させるのであるからわずかな力で済む。また、移動した操作部を自動復帰させるためのバネを設けても、バネの反発力はわずかなものでよいからそのような構成にしてもわずかな力で済む。また、差込部の係止が解除されたカートリッジ替刃は自然落下などの方法でハンドルから取り外すことができる。
【００１９】
請求項３は、操作部を移動して係止を解除し差込部を開口部から外すときに、差込部が抜け出る方向が縦方向であるのに対して操作部の移動方向は横方向である構成である。したがって、操作部を移動させることと、差込部が開口部から抜け出すことが連動せず、それぞれ独立させることができる。操作部の移動と差込部の抜け出しとが連動しなければ、係止の解除のみを操作部で行うことができる。この結果、小さな力で操作部を移動させることができるので力の弱い女性等に負担をかけることがない。
【００２０】
請求項４は、開口部の内壁から突出し開口部の内壁内に没入可能な係止装置が開口部内方向に弾性的に付勢されて装着されており、差込部を開口部に差込んだときに、差込部の側方に突出している係止突部が前記係止装置を開口部の内壁内に押し込みながら係止装置を越えて進み、その進んだときに係止突部の押圧から解除された係止装置が元の位置に弾性的に復帰し開口部内壁から突出して係止突部を係止し、前記係止装置の他方の端部はハンドルから突出する操作部を構成しており、該操作部を押すことにより係止が解除される構成である。したがって、差込部を開口部に一杯に差込んだときに自動的に差込部は係止されカートリッジ替刃が抜け出ることがない。また、操作部を押すことによって係止が解除されるから、カートリッジ替刃を引っ張ることによりあるいはカートリッジ替刃を下に向けて自然落下させることによりカートリッジ替刃をハンドルから外すことができる。操作部を押す力は小さい力で済むから力の弱い女性などにも負担をかけない。
【００２１】
請求項５は、ハンドルがハンドル本体と回動体を含み、ハンドル本体の上端に回動体が回動可能に取り付けられ、該回動体に開口部が設けられ、該開口部に差込部が差込まれることによりカートリッジ替刃がハンドルに結合され、結合されたカートリッジ替刃の長さ方向と同じ方向に延びる回動軸線を中心に前記回動体は回動可能であり、且つ回動体の回動を所定の位置で固定できる手段を有している要素が請求項１乃至請求項４に付加された構成である。したがって、ハンドルに対するカートリッジ替刃の傾きを選択的に変化できるから、顔や腕や足など種々の皮膚の毛を剃るときに対応できる。
【００２２】
請求項６は、カートリッジ替刃のハンドルに対する結合態様が正しく行われないときは、差込部が開口部に差込むことができないように差込部と開口部の形状が形成されている。したがって、カートリッジ替刃をハンドルに逆に取り付けてしまうことがなく、逆に取り付けたときの危険性を回避できる。
【００２３】
請求項７は、差込部の差込み方向に延びる開口部のその延長線が回動体の回動中心から偏倚している。したがって、開口部が回動体のいずれかの周面に寄るので、その周面に係止を解除するための操作部を設けることにより、操作部の開口部までの距離が短くなる。したがって、開口部を回動体の中心に設けたときよりも操作部を短くすることができる。
【００２４】
請求項８は、回動体の回動を所定の位置で固定する手段が、ハンドル本体に摺動可能に取り付けられた係止装置であって指で操作するためのボタンを有し、該係止装置に設けられた係止部によって回動体の回動を係止して固定する構成である。したがって、ハンドルを握った手の指で操作部材を操作することにより回動体を容易に回動できる。
【００２５】
請求項９は、回動体が円筒形に形成され、その周面の周方向に少なくとも１つの係止凹部が形成され、係止装置に設けられている係止部がハンドル本体の上部から上方に突出して前記係止凹部に係合し回動体の回動を係止して固定する構成である。回動体側の係止手段は円筒形の外周に形成した係止凹部であるから、係止手段が複雑でなく製造コストを低くすることができる。また、係止凹部に係止している係止装置の係止部を他方の係止凹部に係止するために回動体を回動しているときに、ボタンから指が外れて係止部が回動体に圧接しても、回動体は円筒形であるからそのまま回動体を回動すれば係止部は円筒形の表面を滑り、他方の係止凹部に係止できる。
【００２６】
請求項１０は、係止装置の係止作用が解除された回動体の自由な回動を、回動体の係止凹部を使用することなく一定の範囲に制限するための手段が、係止装置を含めたハンドル本体と回動体との間に介在している。したがって、回動体が自由に回動してカートリッジ替刃が実際に使用される角度からかけ離れた角度に回動し、使用者に不快感を与えることを防止できる。
【発明を実施するための最良の形態】
【００２７】
次に、本発明を実施するための最良の形態について説明する。ハンドル１は、ハンドル本体２と、そのハンドル本体２の上端に回動可能に取り付けられた回動体３と、ハンドル２の正面に上下に移動可能に取り付けられた操作部材であるボタン４とを含む。
【００２８】
回動体３は円筒形に形成され、ハンドル本体２の上端に形成されたアーム５，５の間にジャーナル結合によって回動可能に取り付けられている。回動体３はあらかじめ組み立ててからアーム５，５に取り付けられる。回動体３の上面には内部に延びる開口部６が設けられている。開口部６の延長線は回動体３の中心を通っておらず、中心よりも背面側に偏倚している。開口部６の延長線が中心よりも正面側に偏倚してもよく、偏倚せずに中心を通ってもよい。カートリッジ替刃７の差込部８が開口部６に差込まれてカートリッジ替刃７はハンドル１に結合される。差込部８にはその下端から側方に突出する係止突部９が一体に形成されている。係止突部９は図４に示すように三角形に形成され、傾斜面１７が形成されている。開口部６の一方の内面にこの係止突部９を通すための切欠き部１０が形成されている。開口部６の他方の内面に切欠き部１０がないので、差込部８を逆に差込むことができない。図５に示すようにカートリッジ替刃７は回動体３に対して揺動できないが、カートリッジ替刃７を上下２つの部分に分けてジャーナル結合させ、カートリッジ替刃７の上方部分を揺動可能としてもよい。
【００２９】
図５に示すように、回動体の内部に、回動体３の径方向に移動可能な係止構造であるピストン１１が装着されている。ピストン１１の端部は回動体３から突出して押しボタン１２を構成している。ピストン１１はコイルバネ１３によって外に突出する方向に付勢されているが、係止手段によって外に飛び出すことはない。ピストン１１の側部から係止部１４が延び、その端部から開口部６内に突出する突起１５が一体に形成されている。突起１５の先端には傾斜面１６が形成されている。押しボタン１２を押すことによりピストン１１は回動体３の内方に移動し、これによって開口部６内に突出していた突起１５は開口部６の内壁内に没入し、開口部６内に突出しない。
【００３０】
次に、カートリッジ替刃７の回動体３への取り付け及び取り外しについて説明する。カートリッジ替刃７を取り付けるときは、その差込部８を回動体３に設けられた開口部６に差込む。開口部６は底に向かって真っ直ぐに延びているので、差込部８の移動は直線的である。差込部８を差込むことによって、差込部８の係止突部９の傾斜面１７が突起１５の傾斜面１６に接しながらこれを押し、突起１５を開口部６の内壁内に押し込む。このとき、当然であるがピストン１１も一体的に移動する。これによって、差込部８は開口部６内に完全に差込まれる。完全に差込まれると、係止突部９は突起１５を超えて開口部６の底に到達し、突起１５は係止突部９による押圧から解除されて元の位置に自動的に復帰する。自動的に復帰するのは、コイルバネ１３の付勢による。
【００３１】
カートリッジ替刃７を取り外すときは、押しボタン１２を押す。押しボタン１２を押すことによりピストン１１は回動体３の内方に移動し、これによって開口部６内に突出していた突起１５は開口部６の内壁内に没入し、開口部６内に突出しない。したがって、突起１５と差込部８の係止突部９との係止状態が解除されるので、この状態でカートリッジ替刃７を引けば開口部６からカートリッジ替刃７を抜くことができる。あるいは、カートリッジ替刃７を下側に向ければ自然に落下する。いずれにしても、カートリッジ替刃７が抜け出る方向が縦方向であるのに対して、押しボタン１２の移動方向は横方向である。横方向というのは、図面で示したようにハンドルの前後方向を指すがこの方向に限定されるものではなく、その前後方向と直交する方向、すなわちハンドルの左右方向も含まれる。さらに、それらハンドルの前後方向と左右方向の間を延びる方向も含まれる。このように、押しボタン１２を押すことによって係止状態が解除されるが、押しボタン１２を押してもこれがカートリッジ替刃７を開口部６から押出すように作用することがない。すなわち、押しボタン１２は係止状態を解除するだけであるから小さな力で係止状態を解除できる。係止が解除されたカートリッジ替刃７を抜く他の方法としては、装着されたカートリッジ替刃の差込部８を弾性的に押圧する弾性部材を回動体３に装着しておく。これにより、カートリッジ替刃７は手で引き抜かなくても弾性部材によって飛び出る。なお、図４に示すカートリッジ替刃７は刃体を有する刃装置１８に皮膚接触部材１９がシーソーのように揺動可能になるように取り付けられたものである。
【００３２】
次に回動体３を回動し固定する構成について説明する。図５に示すように、回動体３の表面に２つの係止凹部２０，２１が形成されている。また、ハンドル本体２に係止構造であるプランジャー２２が上下に摺動可能に装着されている。プランジャー２２にはこれと一体に摺動するボタン４が係合されている。この係合はボタン４の一体に形成された係合部２３，２３をピストン２２の内面に係合することにより行われる。これによって、ボタン４はハンドル本体２から外れない。ボタン４の操作を楽にするために表面に大き目の突起２８が一体に形成されている。
【００３３】
プランジャー２２の上端に係止部２４が設けられハンドル本体２の上面から突出している。係止突部２４が回動体の係止凹部２０又は係止凹部２１に係止することによって回動体３を固定する。回動体３の中心から係止凹部２０と係止凹部２１に引いた線のなす角度は約３０度である。本発明はこの角度に限定されるものでなく、両係止凹部２０，２１のなす角度を１０度〜９０度にしてもよい。プランジャー２２の内部にコイルバネ２５が装着され、このコイルバネ２５の弾性力によってプランジャー２２が常に上方に押されるように付勢されている。したがって、係止突部２４と係止凹部２０又は係止凹部２１の係止は自然に外れないので回動体３を確実に固定できる。係止突部２４を正面側の係止凹部２０に係止したときにカートリッジ替刃７はかなり前傾するので、例えば足のすねなどのように手を伸ばさなければならない部分に使用するときに便利である。背面側の係止凹部２１に係止したときは二の腕など腕を畳んで毛を剃るときに便利である。
【００３４】
図５は、係止突部２４が回動体３の正面側の係止凹部２０に係止している状態である。係止突部２４を背面側の係止凹部２１と係止するときは、ボタン４を下方に摺動することによって係止突部２４をハンドル本体２の中に没入させる。そして、回動体３を背面側に回動した後で、ボタン４から指を外して没入していた係止突部２４を係止凹部２１内に突出させればよい。なお、係止凹部２０，２１の隣に突起２６，２７が形成されており、これらがハンドル本体２の上面に当たることによって、回動体３を必要以上に回動させることを防止できる。
【００３５】
図１に示すように、ハンドル本体２には鯨の尾びれの形状をしたハンドル下端部２９が形成されている。図２に示すようにハンドル下端部２９を凸レンズ状の形状にすれば、ハンドル下端部２９を透明な材料で形成したときにレンズの役目を果たす。ハンドル下端部２９は前方向に弧状に曲がっているので、使用中に下端部２９を手の平に宛がって使用すると作業が安定する。また、ハンドル本体２の長さ方向に稜線３０が形成されている。稜線３０を境としてその背面側に当たるハンドル背面３１の表面はつるつるの鏡面に形成されている。稜線３０を境としてその側面乃至正面側に当たるハンドル前面３２は微細な凹凸を形成したざらざら面に形成されている。つるつるの鏡面は指との接触面積が大きくむしろ滑りづらい。ざらざら面は指との接触面積が小さいので指との接触はむしろさらさらしている。ハンドル本体２は、前述したハンドル下端部２９の部分で横幅が最大で、ハンドル下端部２９の上方にしぼり部が形成されている。しぼり部から上端に行くに従って、横幅及び前後の厚みが増加する形状に形成されている。ボタン４のやや下方で横幅と厚みは一杯となる。その一杯の部分で横幅は約３０ｍｍであり、人差し指を余裕をもって宛がうことができる。また、その一杯の部分で前後の厚みは約２８ｍｍであり、親指の指先腹部を全面的に宛がうことができる。図６に示すようにハンドル本体２の背面で両アーム５，５の間に凹面部３３が形成されている。使用時にその凹面部３３に人差し指等の指先を宛がうことができる。
【００３６】
図６及び図７は本発明の収納状態を示したものである。これらの図に示すようにハンドル１は、カートリッジ替刃７を取り付けた状態でトレー３４に収納できる。トレー３４の下部にハンドル下端部２９を保持するための保持部３６が設けられている。ハンドル１をトレー３４に収納するときは、ハンドル下端部２９をこの保持部３６に挿入するとハンドル２９は保持部３６により正面と背面から挟まれるように保持される。カートリッジ替刃７にはキャップ３５を装着できる。図７に示すように、トレー３４に替刃ケース３７も着脱自在に装着することができる。替刃ケース３７はそれぞれ蓋４１を有する２つの替刃収納部が一体に結合されている。トレー３４の長さ方向のほぼ中央にＬ字形の引っ掛け部３９が設けられている。替刃ケー３７の２つの替刃収納部の仕切り部に舌片４０が一体に設けられていて、この舌片４０が引っ掛け部３９に引っ掛かって替刃ケース３７はトレー３４に装着される。また、替刃ケース３７トレー３４の端部に吸盤３８も着脱自在に取り付けることができる。吸盤３８によって、浴室の壁に取り付けることができる。
【図面の簡単な説明】
【００３７】
【図１】本発明の正面図
【図２】本発明の側面図
【図３】カートリッジ替刃を装着した本発明の側面図
【図４】カートリッジ替刃の側面図
【図５】回動体とカートリッジ替刃の結合状態を示す断面図
【図６】本発明をトレーに収納した状態の斜視図
【図７】本発明をトレーに収納した状態を裏から見た斜視図
【符号の説明】
【００３８】
１  ハンドル
２  ハンドル本体
３  回動体
４  ボタン
５  アーム
６  開口部
７  カートリッジ替刃
８  差込部
９  係止突部
１０  切欠き部
１１  ピストン
１２  押しボタン
１３  コイルバネ
１４  係止部
１５  突起
１６  傾斜面
１７  傾斜面
１８  刃装置
１９  皮膚接触部材
２０  係止凹部
２１  係止凹部
２２  プランジャー
２３  係合部
２４  係止部
２５  コイルバネ
２６  突起
２７  突起
２８  突起
２９  ハンドル下端部
３０  稜線
３１  ハンドル背面
３２  ハンドル正面
３３  凹面部
３４  トレー
３５  キャップ
３６  保持部
３７  替刃ケース
３８  吸盤
３９  引っ掛け部
４０  舌片
４１  蓋
【図１】
2006204669.tif 000003
【図２】
2006204669.tif 000004
【図３】
2006204669.tif 000005
【図４】
2006204669.tif 000006
【図５】
2006204669.tif 000007
【図６】
2006204669.tif 000008
【図７】
2006204669.tif 000009
【手続補正書】
【提出日】平成17年2月22日(2005.2.22)
【手続補正１】
【補正対象書類名】明細書
【補正対象項目名】００３６
【補正方法】変更
【補正の内容】
【００３６】
図６及び図７は本発明の収納状態を示したものである。これらの図に示すようにハンドル１は、カートリッジ替刃７を取り付けた状態でトレー３４に収納できる。トレー３４の下部にハンドル下端部２９を保持するための保持部３６が設けられている。ハンドル１をトレー３４に収納するときは、ハンドル下端部２９をこの保持部３６に挿入するとハンドル２９は保持部３６により正面と背面から挟まれるように保持される。カートリッジ替刃７にはキャップ３５を装着できる。図７に示すように、トレー３４に替刃ケース３７も着脱自在に装着することができる。替刃ケース３７はそれぞれ蓋４１を有する２つの替刃収納部が一体に結合されている。トレー３４の長さ方向のほぼ中央にＬ字形の引っ掛け部３９が設けられている。替刃ケー３７の２つの替刃収納部の仕切り部に舌片４０が一体に設けられていて、この舌片４０が引っ掛け部３９に引っ掛かって替刃ケース３７はトレー３４に装着される。また、トレー３４の端部に吸盤３８も着脱自在に取り付けることができる。吸盤３８によって、浴室の壁に取り付けることができる。